(57)【特許請求の範囲】
【請求項１】
一面に開口を有し内部に回路遮断器を収納した箱体と、前記回路遮断器を覆うように被さる略Ｕ字形であって両端部が前記箱体に取付けられた支持部材と、前記回路遮断器のハンドルに係合する係合部を有するとともに前記係合部を介して前記ハンドルを操作する操作部を有する板状であってその両側部が前記支持部材の中央部にスライド自在に支持されて前記ハンドルの操作方向と同方向に移動可能な外部操作ハンドル本体と、前記操作部を操作する操作窓を有して前記開口に開閉自在に取付けられた蓋体と、前記外部操作ハンドル本体に設けられて前記ハンドルがオンの位置で前記操作窓の外側縁部に係止しオフの位置で前記操作窓の前記外側縁部から係止解除される開蓋防止部材とを備えた回路遮断器の外部操作ハンドル装置。
【請求項２】
一面に開口を有し内部に回路遮断器を収納した箱体と、前記回路遮断器を覆うように被さる略Ｕ字形であって両端部が前記箱体に取付けられた支持部材と、前記回路遮断器のハンドルに係合する係合部を有するとともに前記係合部を介して前記ハンドルを操作する操作部を有する板状であってその両側部が前記支持部材の中央部にスライド自在に支持されて前記ハンドルの操作方向と同方向に移動可能な外部操作ハンドル本体と、前記操作部を操作する操作窓を有するとともに裏面に開蓋防止用の係止部を有して前記開口に開閉自在に取付けられた蓋体と、前記外部操作ハンドル本体に設けられて前記ハンドルがオンの位置で前記係止部に係止しオフ位置で前記係止部から係止解除する開蓋防止部材とを備えた回路遮断器の外部操作ハンドル装置。
【請求項３】
前記回路遮断器はトリップ動作により前記ハンドルがオン位置とオフ位置の中間の中立姿勢に移動するものであり、前記開蓋防止部材は前記ハンドルの中立姿勢で係止解除の動作をする請求項１または請求項２記載の回路遮断器の外部操作ハンドル装置。
【発明の詳細な説明】
【０００１】
【発明の属する技術分野】
この発明は、箱体内に回路遮断器を収納し、この回路遮断器を箱体の外部から開閉操作する回路遮断器の外部操作ハンドル装置に関するものである。
【０００２】
【従来の技術】
一般に、回路遮断器の外部操作ハンドル装置にあっては、蓋体の操作窓に回転ハンドルを取着し、この回転ハンドルの回転操作により回路遮断器のハンドルを開閉操作している（例えば、特開昭53-129872 号) 。また、この回転ハンドルを回転させて回路遮断器のハンドルが閉状態になったときには、安全性のために、蓋体内部に形成された係止部に回転ハンドルの一部が係止されて蓋体が開かないようにするとともに、回転ハンドルを回転させて回路遮断器のハンドルが開状態となったときには、回転ハンドルの一部が係止部に係止解除されて蓋体を開くことを可能にしている。
【０００３】
【発明が解決しようとする課題】
しかし、回路遮断器のハンドルの開閉方向と、回転ハンドルの回転方向とが全く別方向であるので、回転ハンドル自体の構造が複雑になり、このため蓋体の施錠構造も複雑であった。
したがって、この発明の目的は、構造が簡単で、安全のための蓋体の開蓋防止を容易に行なうことができる回路遮断器の外部操作ハンドル装置を提供することである。
【０００４】
【課題を解決するための手段】
請求項１記載の回路遮断器の外部操作ハンドル装置は、一面に開口を有し内部に回路遮断器を収納した箱体と、前記回路遮断器を覆うように被さる略Ｕ字形であって両端部が前記箱体に取付けられた支持部材と、前記回路遮断器のハンドルに係合する係合部を有するとともに前記係合部を介して前記ハンドルを操作する操作部を有する板状であってその両側部が前記支持部材の中央部にスライド自在に支持されて前記ハンドルの操作方向と同方向に移動可能な外部操作ハンドル本体と、前記操作部を操作する操作窓を有して前記開口に開閉自在に取付けられた蓋体と、前記外部操作ハンドル本体に設けられて前記ハンドルがオンの位置で前記操作窓の外側縁部に係止しオフの位置で前記操作窓の前記外側縁部から係止解除される開蓋防止部材とを備えたものである。
【０００５】
請求項１記載の回路遮断器の外部操作ハンドル装置によれば、外部操作ハンドル本体を移動させて回路遮断器のハンドルを開閉操作するので、従来の回転型に比べて構造が簡単で部品点数を少なくすることができる。また、開蓋防止部材が蓋体の外面に係止して開蓋防止を行なうので、構造が簡単で部品点数が増加しないとともに蓋体を簡単に開蓋防止することができる。
【０００６】
請求項２記載の回路遮断器の外部操作ハンドル装置は、一面に開口を有し内部に回路遮断器を収納した箱体と、前記回路遮断器を覆うように被さる略Ｕ字形であって両端部が前記箱体に取付けられた支持部材と、前記回路遮断器のハンドルに係合する係合部を有するとともに前記係合部を介して前記ハンドルを操作する操作部を有する板状であってその両側部が前記支持部材の中央部にスライド自在に支持されて前記ハンドルの操作方向と同方向に移動可能な外部操作ハンドル本体と、前記操作部を操作する操作窓を有するとともに裏面に開蓋防止用の係止部を有して前記開口に開閉自在に取付けられた蓋体と、前記外部操作ハンドル本体に設けられて前記ハンドルがオンの位置で前記係止部に係止しオフ位置で前記係止部から係止解除する開蓋防止部材とを備えたものである。
【０００７】
請求項２記載の回路遮断器の外部操作ハンドル装置によれば、外部操作ハンドル本体を移動させて回路遮断器のハンドルを開閉操作するので、従来の回転型に比べて構造が簡単で部品点数を少なくすることができる。また蓋体の内側の係止部に開蓋防止部材を係止して開蓋防止するので構造が比較的簡単であるとともに、外から開蓋防止部材が見えないので見栄えが良くなる。
【０００８】
請求項３記載の回路遮断器の外部操作ハンドル装置は、請求項１または請求項２において、前記回路遮断器がそのトリップ動作により前記ハンドルがオン位置とオフ位置の中間の中立姿勢に移動するものであり、前記開蓋防止部材は前記ハンドルの中立姿勢で係止解除の動作をするものである。
請求項３記載の回路遮断器の外部操作ハンドル装置によれば、請求項１または請求項２の効果のほか、回路遮断器が過電流や短絡電流により強制開極したときは蓋体を直ちに開くことができ、回路遮断器の遮断原因を素早く究明することができる。
【０００９】
【発明の実施の形態】
この発明の第１の実施の形態を図１ないし図５により説明する。すなわち、この回路遮断器の外部操作ハンドル装置は、箱体１と、外部操作ハンドル本体２と、蓋体３と、開蓋防止部材４とを有する。
箱体１は、一面に開口５を有し、内部に回路遮断器６を収納している。実施の形態の箱体１は壁に取付けられるもので、回路遮断器６の端子部８を上下方向に向けて箱体１の底部に形成した木製等の取付板１ａに取付けている。回路遮断器６はそのトリップ動作によりハンドル７がオン位置とオフ位置の中間の中立姿勢に移動するものである。また回路遮断器６を覆うように略Ｕ字形の支持部材９が被さり、その両端に取付孔１４を形成し、取付孔１４を通して箱体１の底部にねじ等により固定している。支持部材９の中央部にはハンドル７に対向して窓１０を形成し、窓１０の裏面側に上下方向のスライドガイド部（図示せず）を設け、支持部材９の窓１０の上方の端部に挿通スリット１１を形成している。
【００１０】
外部操作ハンドル本体２は、回路遮断器６のハンドル７に係合する係合部１２を有するとともに、係合部１２を介してハンドル７を操作する操作部１３を有して、ハンドル７の操作方向と同方向に移動自在に箱体１側に設けられている。実施の形態では、外部操作ハンドル本体２が板状であり、操作部１３はその表面側に突出し、係合部１２は裏面より操作部１３の内部に凹設している。この外部操作ハンドル本体２の両側部をスライドガイド部にスライド自在に支持して窓１０より操作部１３を突出している。
【００１１】
蓋体３は、操作部１３を操作する操作窓１５を有して、開口５に開閉自在に取付けられている。実施の形態では開口５の右側部にヒンジ部材１６により回動自在に取付けられている。また蓋体３を閉じた状態で操作窓１５から支持部材９の上端部が突出するように、操作窓１５の大きさ、支持部材９の高さ、支持部材９の操作窓貫通部などの寸法を設定している。１７は取手である。
【００１２】
開蓋防止部材４は、外部操作ハンドル本体２に設けられて、ハンドル７がオンの位置で操作窓１５の外側縁部１５ａに係止し、オフの位置で操作窓１５の外側縁部１５ａから係止解除される。実施の形態の開蓋防止部材４は、外部操作ハンドル本体２の上端部を所定寸法延出することにより形成し支持部材９の挿通スリット１１に挿入されており、ハンドル７の中立姿勢でも係止解除の動作をするように寸法設定している。
【００１３】
図１は、ハンドル７のオン状態であり、開蓋防止部材４が操作窓１５の外側縁部１５ａに係止しているため、蓋体３が開くことができない。
図４は、ハンドル７のオフ状態であり、開蓋防止部材４が操作窓１５の外側縁部１５ａから係止解除しているため、蓋体３が開くことができる。
図５は、ハンドル７のトリップ状態であり、開蓋防止部材４が操作窓１５の外側縁部１５ａから係止解除しているため、蓋体３が開くことができる。
【００１４】
この実施の形態によれば、外部操作ハンドル本体２を移動させて回路遮断器６のハンドル７を開閉操作するので、従来の回転型に比べて構造が簡単で部品点数を少なくすることができる。また、開蓋防止部材４が蓋体３の外面に係止して開蓋防止を行なうので、構造が簡単で部品点数が増加しないとともに蓋体３を簡単に開蓋防止することができる。
【００１５】
また、回路遮断器６が過電流や短絡電流により強制開極したときは蓋体３を直ちに開くことができ、回路遮断器６の遮断原因を素早く究明することができる。
この発明の第２の実施の形態を図６ないし図１１により説明する。すなわち、この回路遮断器の外部操作装置は、第１の実施の形態において、蓋体３の裏面に開蓋防止用の係止部２０を設け、外部操作ハンドル本体２に設けた開蓋防止部材４をハンドル７がオンの位置で係止部２０に係止し、オフ位置および中立位置で係止部２０から係止解除する構成にしている。実施の形態では係止部２０は略Ｚ字形に折曲された板の一片を蓋体３に固定している。また操作窓１５からは操作部１３のみを突出させるように操作窓１５を小さく形成し、支持部材９の中央部は貫通させないように支持部材９の高さを低くし、挿通スリット１１が閉じ状態の蓋体３の裏面側に位置するように構成している。２１は支持部材９を取付板１ａに取付けるねじである。
【００１６】
図８および図９は、ハンドル７のオン状態であり、開蓋防止部材４は挿通スリット１１より突出して係止部２０に係止している。このため、蓋体３は開蓋が防止される。
図１０はハンドル７のオフ状態であり、開蓋防止部材４は挿通スリット１１の内部に位置し、このため蓋体３は開蓋可能となる。
【００１７】
図１１はハンドル７が中立状態であり、開蓋防止部材４は挿通スリット１１より若干突出しているが、係止部２０からは離れており、このため蓋体３は開蓋可能となる。
この実施の形態によれば、第１の実施の形態と同様に、外部操作ハンドル本体２を移動させて回路遮断器６のハンドル７を開閉操作するので、従来の回転型に比べて構造が簡単で部品点数を少なくすることができる。また蓋体３の内側の係止部２０に開蓋防止部材４を係止して開蓋防止するので構造が比較的簡単であるとともに、外から開蓋防止部材４が見えないので見栄えが良くなる。
【００１８】
その他、第１の実施の形態と共通する部分に同一符号を付し、共通する部分の構成および作用効果は第１の実施の形態と同様である。
なお、外部操作ハンドル本体２は回路遮断器６に設けられてもよい。
【００１９】
【発明の効果】
請求項１記載の回路遮断器の外部操作ハンドル装置によれば、外部操作ハンドル本体を移動させて回路遮断器のハンドルを開閉操作するので、従来の回転型に比べて構造が簡単で部品点数を少なくすることができる。また、開蓋防止部材が蓋体の外面に係止して開蓋防止を行なうので、構造が簡単で部品点数が増加しないとともに蓋体を簡単に開蓋防止することができる。
【００２０】
請求項２記載の回路遮断器の外部操作ハンドル装置によれば、外部操作ハンドル本体を移動させて回路遮断器のハンドルを開閉操作するので、従来の回転型に比べて構造が簡単で部品点数を少なくすることができる。また蓋体の内側の係止部に開蓋防止部材を係止して開蓋防止するので構造が比較的簡単であるとともに、外から開蓋防止部材が見えないので見栄えが良くなる。
【００２１】
請求項３記載の回路遮断器の外部操作ハンドル装置によれば、請求項１または請求項２の効果のほか、回路遮断器が過電流や短絡電流により強制開極したときは蓋体を直ちに開くことができ、回路遮断器の遮断原因を素早く究明することができる。
【図面の簡単な説明】
【図１】この発明の第１の実施の形態のハンドルがオンの状態の斜視図である。
【図２】開蓋状態で回路遮断器を取外した状態の分解斜視図である。
【図３】開蓋状態で回路遮断器を取付けた状態の斜視図である。
【図４】閉蓋状態でハンドルがオフ状態の斜視図である。
【図５】ハンドルが中立状態の斜視図である。
【図６】第２の実施の形態の開蓋状態で回路遮断器を取外した分解斜視図である。
【図７】開蓋状態で回路遮断器を取付けた状態の斜視図である。
【図８】開蓋状態でハンドルがオンの状態の斜視図である。
【図９】その部分断面図である。
【図１０】ハンドルがオフ状態の部分断面図である。
【図１１】ハンドルが中立状態の部分断面図である。
【符号の説明】
１    箱体
２    外部操作ハンドル本体
３    蓋体
４    開蓋防止部材
５    開口
６    回路遮断器
７    ハンドル
１５    操作窓
１５ａ  外側縁部
２０    係止部
【図１】
0003684693.tif 000002
【図２】
0003684693.tif 000003
【図３】
0003684693.tif 000004
【図４】
0003684693.tif 000005
【図５】
0003684693.tif 000006
【図６】
0003684693.tif 000007
【図７】
0003684693.tif 000008
【図８】
0003684693.tif 000009
【図９】
0003684693.tif 000010
【図１０】
0003684693.tif 000011
【図１１】
0003684693.tif 000012